(57)【要約】【課題】  ラバトリーブース等に使用される表示付施錠装置において表示をみやすくし、かつ回転式のラッチ部でもスライド式のラッチ部でも共通の表示部を使用できるようにする。【解決手段】  ドアの室内側に設けた回転ハンドルを回転し、若しくはスライドハンドル（２９）をスライドしたとき回転するよう回転軸（６）を設ける。ドアの室外側には、表示板（１４）を横方向へ移動可能に案内する表示部ベース（８）がある。表示部ベース（８）と表示板（１４）の間には、連結片（１２）を有するクランク（３）があり、このクランクのクランク軸（４）は、上記回転軸（６）に連結されている。上記表示部ベース（８）には、環状のトラック（１７）が形成され、表示板（１４）には案内溝（１６）が形成されている。クランクを回転すると、連結片（１２）がトラック（１７）に案内されて移動し、表示板（１４）は横移動する。【選択図】      図１
2006183331.tif 000002
【特許請求の範囲】
【請求項１】
施錠位置と解錠位置に移動可能なラッチをドアの室内側に設け、該ラッチの移動により回転軸を回転し、該回転軸の回転をドアの室外側に設けた表示板に伝え、表示カバー内で該表示板を移動させて施解錠状態を表示するようにした表示付施錠装置において、ドアの室外側に上記回転軸に連動するクランクを設け、該クランクが回転した際上記表示板が横方向へ移動するよう上記表示板の裏面に案内溝を形成すると共に上記クランクに該案内溝に係合する連結片を設けたことを特徴とする表示付施錠装置。
【請求項２】
上記ドアの室外側には表示部ベースを設けてあり、上記表示板は該表示部ベースに案内されて移動する請求項１に記載の表示付施錠装置。
【請求項３】
上記表示板の案内溝は縦溝であり、上記連結片はクランクに摺動可能に設けられている請求項２に記載の表示付施錠装置。
【請求項４】
上記表示部ベースには、上記連結片の移動を案内するトラックが設けられている請求項３に記載の表示付施錠装置。
【請求項５】
上記トラックは、環状に設けられている請求項４に記載の表示付施錠装置。
【請求項６】
上記ラッチはスライド可能に設けられたスライドハンドルであり、上記回転軸の軸端にはピンを有するアームが形成され、上記スライドハンドルをスライドした際該アームを介して回転するよう上記ピンが係合するカム溝を上記スライドハンドルに設けた請求項１に記載の表示付施錠装置。
【請求項７】
上記スライドハンドルの動きに遅れて上記回転軸が回転を始めるよう上記カム溝には上記ピンを移動させないフラット部が設けられている請求項６に記載の表示付施錠装置。
【請求項８】
上記ラッチは回転可能に設けられた回転ハンドルであり、上記回転軸の軸端にはアームが形成され、上記回転ハンドルを回転した際該アームを介して回転軸が回転するよう上記回転ハンドルの軸部に上記アームが係合する受溝を設けた請求項１に記載の表示付施錠装置。
【請求項９】
上記回転ハンドルの動きに遅れて上記回転軸が回転を始めるよう上記受溝には遊びが設けられている請求項８に記載の表示付施錠装置。
【発明の詳細な説明】
【技術分野】
【０００１】
本発明は、主としてラバトリーブースに使用されているように、ブース内の使用の有無を外部に知らせることができるよう表示部を設けた表示付施錠装置に関する。
【背景技術】
【０００２】
ドアの室内側に該ドアを施錠、解錠するためのスライド式若しくは回転式のラッチを設け、このラッチの動きに連動する表示板をドアの室外側に設けて、使用中や不使用を表示するようにした表示付施錠装置が広く用いられている（例えば、特許文献１、２参照）。しかし、従来の装置は、表示が小さく、平らであるため、ラバトリーブースの正面に立たないと、「空き」とか「使用中」の判断ができにくく、老若男女や弱視者にとっても容易に判断できるような大きな表示部を持った表示付施錠装置が望まれている。
【０００３】
従来、表示板を移動させるため、回転式ラッチの場合には表示板を回転軸に直結して回転するようにしたり、スライド式の場合には、ラッチに表示板を直結して左右方向にスライドさせたり、ラックピニオン機構を介してラッチの直進運動を回転運動に変換して表示板を回転させたりしているので、表示板の移動量を大きくすることがむずかしい。また、回転式の装置では、ラッチを時計方向や反時計方向に３６０度何回回転させても確実に表示が追従できる装置が要求されているが、そのような装置は少ない。上記のようにラックピニオン機構を用いて回転軸を回転させる構造の装置では、中途半端に施解錠すると、表示板による表示もはっきり判別できなくなり、「空き」を待っている使用者が長時間待たされてしまうこともある。その上、回転式とスライド式で表示部を共通化できるようにした装置がなく、回転式とスライド式のそれぞれに専用の表示部を製造しなければならないから、経済的ではない。
【特許文献１】実公昭５８−４４２１６号公報（実用新案登録請求の範囲、図面）
【特許文献２】特開２００２−１５５６５８号公報（図面）
【発明の開示】
【発明が解決しようとする課題】
【０００４】
本発明の解決課題は、上記のようにラッチに連動して表示板を移動させるようにした表示付施錠装置において、表示板による表示をみやすくするよう該表示板を大きく移動させることができ、中途半端な切替を少なくし、また、回転式のラッチでもスライド式のラッチでも共通の表示部を用いることができるようにした表示付施錠装置を提供することである。
【課題を解決するための手段】
【０００５】
本発明によれば、施錠位置と解錠位置に移動可能なラッチをドアの室内側に設け、該ラッチの移動により回転軸を回転し、該回転軸の回転をドアの室外側に設けた表示板に伝え、表示カバー内で該表示板を移動させて施解錠状態を表示するようにした表示付施錠装置において、ドアの室外側に上記回転軸に連動するクランクを設け、該クランクが回転した際上記表示板が横方向へ移動するよう上記表示板の裏面に案内溝を形成すると共に上記クランクに該案内溝に係合する連結片を設けたことを特徴とする表示付施錠装置が提供され、上記課題が解決される。
【０００６】
さらに、本発明によれば、上記表示付施錠装置において、上記表示板はドアの室外側に設けた表示部ベースに案内されて移動し、上記クランクに設けた連結片は上記表示部ベースに形成したトラックに沿って移動し、該トラックは環状に設けられている。上記回転軸の軸端には、ピンを有するアームが形成され、スライド式ラッチの場合には、該アームを介して上記回転軸が回転するよう上記ピンが摺動可能に係合するカム溝をスライドハンドルに設け、回転式ラッチの場合には、上記アームを回転ハンドルの軸部の受溝に係合することにより回転軸が回転するようにした上記表示付施錠装置が提供される。また、上記カム溝にフラット部を設けたり、上記受溝に遊びを設けて回転軸がラッチに遅れて回転するようにした上記装置が提供される。
【発明の効果】
【０００７】
本発明は上記のように構成され、ラッチの移動により回転する回転軸にクランクを連結し、該クランクに設けた連結片を表示板の裏面に形成した案内溝に係合させ、該クランクの回転により表示板が横移動するようにしたので、表示板の移動量を大きくすることができ、表示をみやすくできる。また、連結片をクランクに摺動可能に設け、該連結片が表示部ベースのトラックに案内されて移動するようにし、該トラックを環状に形成すると、ラッチが回転式の場合に、該ラッチを時計方向、反時計方向に何度も回転させても支障を生じることがなく、確実に表示することができる。
【０００８】
また、上記回転軸の軸端にアームを設け、スライド式ラッチの場合には、上記アームを介して回転軸が回転するようアームに設けたピンが係合するカム溝をスライドハンドルに設け、回転式ラッチの場合には上記アームを回転ハンドルの軸部に設けた受溝に係合させることにより上記回転軸を回転させることができ、スライド式及び回転式のいずれのラッチでも表示部を共通化することができ、経済的である。そして、上記カム溝にフラット部を設けたり、上記受溝に遊びを設けて上記回転軸がラッチの移動に遅れて回転するように構成すると、ラッチをある位置まで移動してから表示部が移動するようにできるから、表示部が中途半端に切替ることがなく、表示に確実性が得られる。
【発明を実施するための最良の形態】
【０００９】
表示付施錠装置は、公知のようにドアの室外側に設けられる表示部（１）とドアの室内側に設けられるラッチ部（２）を具備し、ラッチ部（２）はラッチがスライド式と回転式の２つのタイプがあるが、本発明では後記するようにいずれのタイプのラッチでも共通の表示部（１）を用いることができる。
【００１０】
図１〜図４を参照して上記表示部（１）を説明すると、該表示部にはクランク（３）を有するクランク軸（４）があり、該クランク軸（４）の先端部（５）は断面楕円形、多角形等の異形断面に形成され、室内側から室外側に向けて延びる回転軸（６）に形成した同形状の受孔（７）に軸方向に移動可能にかつ回転不能に挿入されている。この構成により、回転軸（６）が回転すると、クランク（３）は同方向に連動して回転する。
【００１１】
上記クランク軸（４）は、ドアの室内側に取り付けられる表示部ベース（８）の孔（９）に回転自在に挿通され、ストッパーリング（１０）で抜け止めされており、端部には上記クランク（３）が固定されている。該クランク（３）は、長孔（１１）を有し、該長孔（１１）には金属材料やプラスチック材料で好ましくはボール形状に作られた連結片（１２）が摺動可能に嵌合している。
【００１２】
上記表示部ベース（８）の上下には、横方向に延びる案内壁（１３）が形成され、該案内壁（１３）の内側に表示板（１４）の裏面に形成した係合縁（１５）がスライド可能に係合しており、該表示板（１４）の表面側には、「空き」、「使用中」を識別できるような文字、着色その他の適宜の識別子（図示略）が設けられている。
【００１３】
上記表示板（１４）の裏面には、図において縦方向に延びる案内溝（１６）が形成され、該案内溝（１６）には上記クランク（３）の連結片（１２）が摺動可能に係合している。この構成により、クランク（３）を回転させることにより、上記表示板（１４）を横方向へ移動させることができる。
【００１４】
上記表示部ベース（８）には、上記連結片（１２）の移動を案内するよう該連結片（１２）が摺動可能に係合するトラック（１７）が設けられている。該トラック（１７）は、縦長の略矩形状の環状凹面に形成され、横方向に延びる横行トラック部（１８）と縦方向に延びる上下行トラック部（１９）を有している。この構成により、上記連結片（１２）が横行トラック部（１８）に案内されて移動する方向にクランク（３）が回転するとき、上記表示板（１４）は横方向へ移動するが、上記連結片（１２）が上下行トラック部（１９）に案内されて移動する方向にクランク（３）が回転するときは、上記表示板（１４）は移動しない。
【００１５】
上記表示部ベース（８）には表示カバー（２０）が着脱可能に嵌着され、適宜の係止部により保持され、該表示カバー（２０）には、上記表示板（１４）の識別子をみるための窓孔（２１）が形成されている。なお、上記表示板（１４）及び表示カバー（２０）の前面は、ドアの室外側の種々の方向から窓孔（２１）を通して上記の表示がみやすくなるよう大きな球体状にわん曲している。また、表示カバー（２０）の適宜位置には、ドライバーの先端等を差し込んで該表示カバーを容易に表示部ベース（８）から取り外すための切欠（２２）が形成されている。
【００１６】
上記表示部（１）は、表示部ベース（８）の取付孔（２３）に取付ねじ（２４）を挿入し、ラッチ部（２）側の取付ナット（２５）にねじ着してドアの室外側に固定される。
【００１７】
ラッチ部（２）をスライド式に構成する場合の実施例が図１、図２、図５に示されている。該ラッチ部（２）は、取付ねじ（２６）で上記取付ナット（２５）を固定したスライドベース（２７）と、該スライドベースに形成した段部に係合するよう断面略Ｃ字状で開口縁に係止縁（２８）を形成したスライドハンドル（２９）を有し、該スライドハンドル（２９）を該スライドベース（２７）に横方向にスライド可能に嵌合し、両端部にエンドキャップ（３０）を取り付け、板ばね（３１）をスライドベース（２７）に設けて振れ止めしてある。
【００１８】
上記スライドベース（２７）の凹部（３２）には、スライドカム（３３）を摺動可能に嵌着してあり、該スライドカム（３３）はねじ（３４）で上記スライドハンドル（２９）に固定されている。該スライドカム（３３）には、上記回転軸（６）のアーム（３５）に形成したピン（３６）が係合するカム溝（３７）が形成されている。該カム溝（３７）はスライドハンドル（２９）を解錠位置から施錠位置へ移動させたとき上記アーム（３５）を介して上記回転軸（６）が上記表示板（１４）を使用中の表示位置へ移動する方向へ回転し、施錠位置から解錠位置へ移動させたときに逆方向へ回転軸（６）を回転するよう傾斜部（３８）を有している。図５に示す実施例では、スライドハンドル（２９）が解錠位置にあるとき、上記ピン（３６）が対応する位置にフラット部（３９）を設けてあり、スライドハンドル（２９）を施錠位置へ動かすとき、ピンがフラット部に対応している間は該ピンを移動させずに回転軸が回転しないようにし、その後遅れて回転軸（６）が回転するよう上記傾斜部（３８）にピン（３６）が係合するようにしてある。なお、カム溝の形状は、所望により適宜に変更することができる。
【００１９】
ラッチ部（２）を回転式に構成する場合の実施例が図６に示されている。該ラッチ部（２）は、ケース（４０）に回転自在に枢着された回転ハンドル（４１）と該ケース（４０）の裏面にねじ（図示略）で固定したベース（４２）を有し、取付ねじ（４３）で上記取付ナット（２５）に固定している。上記回転ハンドル（４１）の軸部（４４）には、上記回転軸（６）のアーム（３５）が係合する受溝（４５）を設けてある。解錠位置若しくは施錠位置から上記回転ハンドル（４１）を回転すれば、上記回転軸（６）も同時に回転するが、上記受溝（４５）の円周方向に上記アームが空転する遊び（空間）を形成しておくことにより、上記回転ハンドル（４１）に遅れて上記回転軸（６）が回転するよう構成することができる。なお、上記アームには上述の実施例と同様にピンが設けられていてもよい。
【００２０】
本発明は上記のようにスライド式のラッチ部でも回転式のラッチ部でも共通の表示部（１）を用いることができる。図７は、スライド式のラッチ部を用いた場合の表示部の作動状態を示し、図において、クランク（３）がＡの位置にあるとき表示板（１４）は解錠状態を示す位置にあり、窓孔（２１）からは、空き状態を示す識別子、例えば「空き」の文字や青色の着色が表われている。スライドハンドル（２９）を施錠位置に向けて動かすと、少し遅れてクランク（３）が矢印（４６）方向へ回転し、Ｂの位置にあるときは窓孔からは表示切替状態を示す識別子、例えば「青色＋赤色」が表われ、スライドハンドル（２９）が施錠位置まで移動すると、クランク（３）はＣの位置になり窓孔からは表示板に表示した使用中を示す識別子、例えば「使用中」の文字や赤色の着色が表われる。施錠状態から解錠状態にスライドハンドル（２９）を移動させると、上記表示板（１４）は上述と逆方向に移動し、空き状態を表示する。
【００２１】
回転式のラッチ部を用いた場合の作動状態が図８に示されている。図において、Ａの位置にクランク（３）があるときを解錠状態とすると、回転ハンドル（４１）を矢印（４７）方向に回転しても、クランク（３）がＡ〜Ｃの位置にあるときは表示板（１４）は移動せず、空き状態を表示している。そして、Ｃ〜Ｅの位置を移動するとき、表示板は回転ハンドルが解錠状態から施錠状態へ切替中であることを示す位置に移動し、Ｅの位置で回転ハンドルが施錠位置に達し、表示板は使用中であることを表示する。さらに、クランク（３）がＥ〜Ｇの位置に回転しても、表示板（１４）は移動せずに使用中であることを表示する。施錠状態から解錠状態に回転ハンドル（４１）を逆方向に回転すると、上記表示板（１４）は、上述と逆方向に移動して空き状態を表示する。なお、表示板（１４）をクランク（３）がＨの位置を通過する方向に回転しても問題はないし、いずれの方向に何回回転しても支障を生じることはない。
【００２２】
上記実施例において、上記クランクは回転軸の回転に伴ってほぼ同じ速度で回動しているが、例えばクランク軸（４）やクランク（３）と表示部ベース（８）等の間にカムやばね等で構成した適宜のクリック機構を設けておけば、表示板をす早く切替えることもできる。
【００２３】
なお、上記表示カバー（２０）を取り外せば、上記クランク（３）が表われるから、非常の場合には表示カバー（２０）を外してクランク（３）を手動で回転することにより上記スライドハンドル（２９）や回転ハンドル（４１）を施錠位置から解錠位置へ移動させてドアを開くことができる。
【図面の簡単な説明】
【００２４】
【図１】本発明のスライド式ラッチ部を有する装置の一実施例を示す横断面図。
【図２】縦断面図。
【図３】表示カバーを断面して示す表示部の正面図。
【図４】表示部の分解斜視図。
【図５】スライドハンドルの背面図。
【図６】回転式ラッチ部を示す横断面図。
【図７】スライド式ラッチ部を用いた場合の表示部の作動状態を示し、（Ａ）は正面図、（Ｂ）は平面図。
【図８】回転式ラッチ部を用いた場合の表示部の作動状態を示し、（Ａ）は正面図、（Ｂ）は平面図。
【符号の説明】
【００２５】
１  表示部
２  ラッチ部
３  クランク
４  クランク軸
６  回転軸
８  表示部ベース
１２  連結片
１４  表示板
１６  案内溝
１７  トラック
２０  表示カバー
２７  スライドベース
２９  スライドハンドル
３３  スライドカム
３５  アーム
３６  ピン
３７  カム溝
４１  回転ハンドル
４５  受溝
【図１】
2006183331.tif 000003
【図２】
2006183331.tif 000004
【図３】
2006183331.tif 000005
【図４】
2006183331.tif 000006
【図５】
2006183331.tif 000007
【図６】
2006183331.tif 000008
【図７】
2006183331.tif 000009
【図８】
2006183331.tif 000010